(57)【要約】【課題】ユーザの行動に応じた正しい入退室履歴を記録する。【解決手段】入退室管理システムは、管理対象施設内の出入口の外側に設置された入室検知用アンテナ２ａと、出入口の内側に設置された退室検知用アンテナ２ｂと、入室検知用アンテナ２ａと退室検知用アンテナ２ｂのうち一方のアンテナがタグ６から識別情報を読み取った後に他方のアンテナがタグ６から識別情報を読み取ったときに、この２つのアンテナで読み取った識別情報を比較し、識別情報が一致する場合には、識別情報で特定されるユーザが出入口を通って入退室したと判定するタグリーダ４と、識別情報で特定されるユーザが入退室したと判定された場合に、ユーザの入退室履歴情報を記録する入退室管理装置１とを備える。【選択図】  図１
2013242831.tif 000002
【特許請求の範囲】
【請求項１】
ユーザが所持するタグによりユーザの入退室を管理する入退室管理システムにおいて、
管理対象施設内の出入口の外側に設置され、前記出入口に接近したタグから識別情報を読み取る第１の読取手段と、
前記出入口の内側に設置され、前記出入口に接近したタグから識別情報を読み取る第２の読取手段と、
ユーザの識別情報を含む個人情報を予め記憶する個人情報記憶手段と、
前記第１の読取手段と前記第２の読取手段のうち一方の読取手段がタグから識別情報を読み取った後に他方の読取手段がタグから識別情報を読み取ったときに、この２つの読取手段で読み取った識別情報を比較し、識別情報が一致する場合には、識別情報で特定されるユーザが前記出入口を通って入退室したと判定する入退室判定手段と、
前記識別情報で特定されるユーザが入退室したと判定された場合に、このユーザの入退室履歴情報を記録する入退室履歴記録手段とを備えることを特徴とする入退室管理システム。
【請求項２】
請求項１記載の入退室管理システムにおいて、
さらに、前記出入口の外側に設置され、前記出入口に接近した人を前記第１の読取手段の無線通信可能エリアよりも狭い赤外線検知エリア内で検知する第１の赤外線センサと、
前記出入口の内側に設置され、前記出入口に接近した人を前記第２の読取手段の無線通信可能エリアよりも狭い赤外線検知エリア内で検知する第２の赤外線センサとを備え、
前記入退室判定手段は、前記第１の読取手段と前記第２の読取手段のうち一方の読取手段がタグから識別情報を読み取り、かつ前記第１の赤外線センサと前記第２の赤外線センサのうち前記一方の読取手段と同じ側に設置されている赤外線センサが人の存在を検知した後に、他方の読取手段がタグから識別情報を読み取ったときに、この２つの読取手段で読み取った識別情報を比較することを特徴とする入退室管理システム。
【請求項３】
請求項１記載の入退室管理システムにおいて、
さらに、前記第１の読取手段と前記第２の読取手段のうち一方の読取手段がタグから識別情報を読み取ったときに、この識別情報で特定されるユーザの入退室を許可すべきかどうかを、前記個人情報記憶手段に記憶されている個人情報に基づいて判定する入退室許可判定手段と、
前記識別情報で特定されるユーザの入退室可と判定された場合に、前記出入口の扉の電気錠を解錠する電気錠制御手段とを備えることを特徴とする入退室管理システム。
【請求項４】
請求項３記載の入退室管理システムにおいて、
さらに、前記出入口の外側に設置され、前記出入口に接近した人を前記第１の読取手段の無線通信可能エリアよりも狭い赤外線検知エリア内で検知する第１の赤外線センサと、
前記出入口の内側に設置され、前記出入口に接近した人を前記第２の読取手段の無線通信可能エリアよりも狭い赤外線検知エリア内で検知する第２の赤外線センサとを備え、
前記入退室許可判定手段は、前記第１の読取手段と前記第２の読取手段のうち一方の読取手段がタグから識別情報を読み取り、かつ前記第１の赤外線センサと前記第２の赤外線センサのうち前記一方の読取手段と同じ側に設置されている赤外線センサが人の存在を検知したときに、前記識別情報で特定されるユーザの入退室を許可すべきかどうかを判定することを特徴とする入退室管理システム。
【請求項５】
ユーザが所持するタグによりユーザの入退室を管理する入退室管理方法において、
管理対象施設内の出入口の外側に設置された第１の読取手段と前記出入口の内側に設置された第２の読取手段のうち一方の読取手段がタグから識別情報を読み取った後に他方の読取手段がタグから識別情報を読み取ったときに、この２つの読取手段で読み取った識別情報を比較し、識別情報が一致する場合には、識別情報で特定されるユーザが前記出入口を通って入退室したと判定する入退室判定ステップと、
前記識別情報で特定されるユーザが入退室したと判定した場合に、このユーザの入退室履歴情報を記録する入退室履歴記録ステップとを備えることを特徴とする入退室管理方法。
【請求項６】
請求項５記載の入退室管理方法において、
前記入退室判定ステップは、前記第１の読取手段と前記第２の読取手段のうち一方の読取手段がタグから識別情報を読み取り、かつ前記出入口の外側に設置された第１の赤外線センサと前記出入口の内側に設置された第２の赤外線センサのうち前記一方の読取手段と同じ側に設置されている赤外線センサが人の存在を検知した後に、他方の読取手段がタグから識別情報を読み取ったときに、この２つの読取手段で読み取った識別情報を比較するステップを含み、
前記第１の赤外線センサは、前記出入口に接近した人を前記第１の読取手段の無線通信可能エリアよりも狭い赤外線検知エリア内で検知し、
前記第２の赤外線センサは、前記出入口に接近した人を前記第２の読取手段の無線通信可能エリアよりも狭い赤外線検知エリア内で検知することを特徴とする入退室管理方法。
【請求項７】
請求項５記載の入退室管理方法において、
さらに、前記第１の読取手段と前記第２の読取手段のうち一方の読取手段がタグから識別情報を読み取ったときに、この識別情報で特定されるユーザの入退室を許可すべきかどうかを、個人情報記憶手段に記憶されている個人情報に基づいて判定する入退室許可判定ステップと、
前記識別情報で特定されるユーザの入退室可と判定した場合に、前記出入口の扉の電気錠を解錠する電気錠制御ステップとを備えることを特徴とする入退室管理方法。
【請求項８】
請求項７記載の入退室管理方法において、
前記入退室許可判定ステップは、前記第１の読取手段と前記第２の読取手段のうち一方の読取手段がタグから識別情報を読み取り、かつ前記出入口の外側に設置された第１の赤外線センサと前記出入口の内側に設置された第２の赤外線センサのうち前記一方の読取手段と同じ側に設置されている赤外線センサが人の存在を検知したときに、前記識別情報で特定されるユーザの入退室を許可すべきかどうかを判定するステップを含み、
前記第１の赤外線センサは、前記出入口に接近した人を前記第１の読取手段の無線通信可能エリアよりも狭い赤外線検知エリア内で検知し、
前記第２の赤外線センサは、前記出入口に接近した人を前記第２の読取手段の無線通信可能エリアよりも狭い赤外線検知エリア内で検知することを特徴とする入退室管理方法。
【発明の詳細な説明】
【技術分野】
【０００１】
本発明は、施設内を通行するユーザの入退室を管理する入退室管理システムおよび方法に関するものである。
【背景技術】
【０００２】
従来、壁面等に固定された質問器と、ユーザが持ち歩く応答器との間で、無線通信することで入退室管理を行う入退室管理システムが知られている（特許文献１、特許文献２参照）。このような入退室管理システムでは、質問器が無線で質問信号を送信し、応答器が質問信号を受信すると自己の識別情報を含む応答信号を無線で返送し、質問器が応答器から返送された応答信号を受信するようになっていた。
【先行技術文献】
【特許文献】
【０００３】
【特許文献１】特開２００８−９４７４号公報
【特許文献２】特開２００８−１０９０３号公報
【発明の概要】
【発明が解決しようとする課題】
【０００４】
従来の入退室管理システムでは、応答器を所持するユーザが扉を通過して入室した場合、システムの記憶装置に当該ユーザの入室履歴を記録するようにしているが、入室したユーザが退室していないにも拘わらず、退室履歴を記録してしまう可能性があった。部屋の外側の壁面に設置された入室検知用質問器がこの入室検知用質問器の無線通信可能エリア内に入った応答器と無線通信することで応答器の識別情報を取得すると、この識別情報に基づいて入退室管理システムの制御装置がユーザの入室を許可するかどうかを判断し、入室を許可する場合には、扉の電気錠を解錠し、取得した識別情報に対応するユーザの入室履歴を記録する。このとき、ユーザが入室すると、ユーザが所持する応答器が部屋の内側の壁面に設置された退室検知用質問器の無線通信可能エリア内に入ることがあり、応答器が無線通信可能エリア内に入った場合には退室検知用質問器が応答器の識別情報を取得するので、この識別情報に基づいて制御装置がユーザの退室を許可するかどうかを判断し、退室を許可する場合には、扉の電気錠を解錠し、取得した識別情報に対応するユーザの退室履歴を記録する。このように、従来の入退室管理システムでは、ユーザが退室していないにも拘わらず、退室履歴を記録してしまう可能性があった。
【０００５】
また、従来の入退室管理システムでは、応答器を所持するユーザが扉の前を通過しただけの場合でも、ユーザの入室履歴を記録してしまう可能性があった。その理由は、応答器を所持するユーザが扉の前を通過したときに、応答器が入室検知用質問器の無線通信可能エリア内に入ることがあり、応答器が無線通信可能エリア内に入った場合には入室検知用質問器が応答器の識別情報を取得するので、この識別情報に基づいて制御装置がユーザの入室を許可するかどうかを判断し、入室を許可する場合には、扉の電気錠を解錠し、取得した識別情報に対応するユーザの入室履歴を記録するからである。このように、従来の入退室管理システムでは、ユーザが入室していないにも拘わらず、入室履歴を記録してしまう可能性があった。
【０００６】
また、従来の入退室管理システムでは、応答器を所持するユーザが入室せずに扉の前で留まっているだけの場合でも、ユーザの入室履歴を複数回記録してしまう可能性があった。その理由は、応答器を所持するユーザが扉に近づくと、入室検知用質問器が応答器の識別情報を取得するので、上記のとおりユーザの入室を許可する場合にはユーザの入室履歴が記録されるが、このときユーザが入室せずに扉の前で留まると、応答器からの識別情報の受信とユーザの入室履歴の記録とが繰り返し行われるからである。このように、従来の入退室管理システムでは、ユーザが入室せずに扉の前で留まっているだけの場合でも、ユーザの入室履歴を複数回記録してしまう可能性があった。
【０００７】
また、従来の入退室管理システムでは、応答器を所持する複数のユーザのうち１人が入室し、別の１人は扉の前を通過しただけの場合でも、複数のユーザの入室履歴を記録してしまう可能性があった。その理由は、応答器を所持する複数のユーザが扉に近づくと、入室検知用質問器が各ユーザの応答器の識別情報を取得するので、上記のとおりユーザの入室を許可する場合にはユーザの入室履歴が記録されるが、このとき扉の前を通過するだけで入室しないユーザの入室履歴も記録してしまうからである。
【０００８】
本発明は、上記課題を解決するためになされたもので、ユーザの行動に応じた正しい入退室履歴を記録することができる入退室管理システムおよび方法を提供することを目的とする。
【課題を解決するための手段】
【０００９】
本発明は、ユーザが所持するタグによりユーザの入退室を管理する入退室管理システムにおいて、管理対象施設内の出入口の外側に設置され、前記出入口に接近したタグから識別情報を読み取る第１の読取手段と、前記出入口の内側に設置され、前記出入口に接近したタグから識別情報を読み取る第２の読取手段と、ユーザの識別情報を含む個人情報を予め記憶する個人情報記憶手段と、前記第１の読取手段と前記第２の読取手段のうち一方の読取手段がタグから識別情報を読み取った後に他方の読取手段がタグから識別情報を読み取ったときに、この２つの読取手段で読み取った識別情報を比較し、識別情報が一致する場合には、識別情報で特定されるユーザが前記出入口を通って入退室したと判定する入退室判定手段と、前記識別情報で特定されるユーザが入退室したと判定された場合に、このユーザの入退室履歴情報を記録する入退室履歴記録手段とを備えることを特徴とするものである。
また、本発明の入退室管理システムの１構成例は、さらに、前記出入口の外側に設置され、前記出入口に接近した人を前記第１の読取手段の無線通信可能エリアよりも狭い赤外線検知エリア内で検知する第１の赤外線センサと、前記出入口の内側に設置され、前記出入口に接近した人を前記第２の読取手段の無線通信可能エリアよりも狭い赤外線検知エリア内で検知する第２の赤外線センサとを備え、前記入退室判定手段は、前記第１の読取手段と前記第２の読取手段のうち一方の読取手段がタグから識別情報を読み取り、かつ前記第１の赤外線センサと前記第２の赤外線センサのうち前記一方の読取手段と同じ側に設置されている赤外線センサが人の存在を検知した後に、他方の読取手段がタグから識別情報を読み取ったときに、この２つの読取手段で読み取った識別情報を比較することを特徴とするものである。
【００１０】
また、本発明の入退室管理システムの１構成例は、さらに、前記第１の読取手段と前記第２の読取手段のうち一方の読取手段がタグから識別情報を読み取ったときに、この識別情報で特定されるユーザの入退室を許可すべきかどうかを、前記個人情報記憶手段に記憶されている個人情報に基づいて判定する入退室許可判定手段と、前記識別情報で特定されるユーザの入退室可と判定された場合に、前記出入口の扉の電気錠を解錠する電気錠制御手段とを備えることを特徴とするものである。
また、本発明の入退室管理システムの１構成例は、さらに、前記出入口の外側に設置され、前記出入口に接近した人を前記第１の読取手段の無線通信可能エリアよりも狭い赤外線検知エリア内で検知する第１の赤外線センサと、前記出入口の内側に設置され、前記出入口に接近した人を前記第２の読取手段の無線通信可能エリアよりも狭い赤外線検知エリア内で検知する第２の赤外線センサとを備え、前記入退室許可判定手段は、前記第１の読取手段と前記第２の読取手段のうち一方の読取手段がタグから識別情報を読み取り、かつ前記第１の赤外線センサと前記第２の赤外線センサのうち前記一方の読取手段と同じ側に設置されている赤外線センサが人の存在を検知したときに、前記識別情報で特定されるユーザの入退室を許可すべきかどうかを判定することを特徴とするものである。
【００１１】
また、本発明は、ユーザが所持するタグによりユーザの入退室を管理する入退室管理方法において、管理対象施設内の出入口の外側に設置された第１の読取手段と前記出入口の内側に設置された第２の読取手段のうち一方の読取手段がタグから識別情報を読み取った後に他方の読取手段がタグから識別情報を読み取ったときに、この２つの読取手段で読み取った識別情報を比較し、識別情報が一致する場合には、識別情報で特定されるユーザが前記出入口を通って入退室したと判定する入退室判定ステップと、前記識別情報で特定されるユーザが入退室したと判定した場合に、このユーザの入退室履歴情報を記録する入退室履歴記録ステップとを備えることを特徴とするものである。
【発明の効果】
【００１２】
本発明によれば、管理対象施設内の出入口の外側に設置された第１の読取手段と出入口の内側に設置された第２の読取手段のうち一方の読取手段がタグから識別情報を読み取った後に他方の読取手段がタグから識別情報を読み取ったときに、２つの読取手段で読み取った識別情報を比較し、識別情報が一致する場合に、識別情報で特定されるユーザが出入口を通って入退室したと判定し、このユーザの入退室履歴情報を記録するので、ユーザが入室または退室したかどうかを確実に判定することができ、ユーザの行動に応じた正しい入退室履歴を記録することができる。
【００１３】
また、本発明では、第１の読取手段と第２の読取手段のうち一方の読取手段がタグから識別情報を読み取り、かつ出入口の外側に設置された第１の赤外線センサと出入口の内側に設置された第２の赤外線センサのうち一方の読取手段と同じ側に設置されている赤外線センサが人の存在を検知した後に、他方の読取手段がタグから識別情報を読み取ったときに、この２つの読取手段で読み取った識別情報を比較するので、ユーザが入室または退室したかどうかを更に確実に判定することができる。
【図面の簡単な説明】
【００１４】
【図１】本発明の実施の形態に係る入退室管理システムの構成を示すブロック図である。
【図２】本発明の実施の形態に係る入退室管理システムの入退室管理装置の構成を示すブロック図である。
【図３】本発明の実施の形態に係る入退室管理システムのタグリーダの構成を示すブロック図である。
【図４】本発明の実施の形態に係る入退室管理システムのタグリーダの動作を説明するフローチャートである。
【図５】本発明の実施の形態に係る入退室管理システムの入退室管理装置の動作を説明するフローチャートである。
【図６】本発明の実施の形態において個人情報記憶部に記憶されている個人情報の１例を示す図である。
【図７】本発明の実施の形態において入退室履歴記憶部に記憶されている入退室履歴情報の１例を示す図である。
【発明を実施するための形態】
【００１５】
以下、本発明の実施の形態について図面を参照して説明する。図１は本発明の実施の形態に係る入退室管理システムの構成を示すブロック図である。
入退室管理システムは、ユーザの入退室履歴を記録する入退室管理装置１と、管理対象施設内の部屋の出入口付近の外側壁面に設置された読取手段である入室検知用アンテナ２ａと、部屋の出入口付近の内側壁面に設置された読取手段である退室検知用アンテナ２ｂと、部屋の出入口付近の外側壁面に設置された入室検知用赤外線センサ３ａと、部屋の出入口付近の内側壁面に設置された退室検知用赤外線センサ３ｂと、部屋の出入口毎に設けられ、入室検知用アンテナ３ａおよび退室検知用アンテナ３ｂと接続された質問器であるタグリーダ４と、部屋の出入口の扉７に設置された電気錠５とから構成される。
【００１６】
図１において、６はユーザが所持する応答器であるタグ、８は部屋と廊下とを隔てる壁、９は入室検知用アンテナ２ａの無線通信可能エリア、１０は退室検知用アンテナ２ｂの無線通信可能エリア、１１は入室検知用赤外線センサ３ａの赤外線検知エリア、１２は退室検知用赤外線センサ３ｂの赤外線検知エリアである。
なお、入室検知用赤外線センサ３ａの赤外線検知エリア１１は、入室検知用アンテナ２ａの無線通信可能エリア９よりも狭く、退室検知用赤外線センサ３ｂの赤外線検知エリア１２は、退室検知用アンテナ２ｂの無線通信可能エリア１０よりも狭い。
【００１７】
また、入室検知用アンテナ２ａの無線通信可能エリア９と退室検知用アンテナ２ｂの無線通信可能エリア１０とは、同一ではなく、タグ６を所持するユーザが入室しようとするときには退室検知用アンテナ２ｂよりも先に入室検知用アンテナ２ａがタグ６からの応答信号を受信し、タグ６を所持するユーザが退室しようとするときには入室検知用アンテナ２ａよりも先に退室検知用アンテナ２ｂがタグ６からの応答信号を受信するように設定されていることが好ましい。同様に、入室検知用赤外線センサ３ａの赤外線検知エリア１１と退室検知用赤外線センサ３ｂの赤外線検知エリア１２とは、同一ではなく、ユーザが入室しようとするときには退室検知用赤外線センサ３ｂよりも先に入室検知用赤外線センサ３ａがユーザの存在を検知し、ユーザが退室しようとするときには入室検知用赤外線センサ３ａよりも先に退室検知用赤外線センサ３ｂがユーザの存在を検知するように設定されていることが好ましい。
【００１８】
タグ６は、予め付与された固有の識別情報を記憶している。タグ６としては、ＲＦＩＤ（Radio Frequency Identification）タグや非接触ＩＣカードがある。これらのタグ６は周知の技術であるので、タグ６の詳細な説明は省略する。
【００１９】
図２は入退室管理装置１の構成を示すブロック図である。入退室管理装置１は、タグ６を所持するユーザの個人情報を予め記憶する個人情報記憶部１００と、タグリーダ４から情報を受信する受信部１０１と、ユーザの入退室を許可すべきかどうかを判定する入退室許可判定部１０２と、電気錠５を制御する電気錠制御部１０３と、ユーザの入退室履歴情報を記憶する入退室履歴記憶部１０４と、タグリーダ４から入退室履歴記録要求があったときに、入退室履歴記憶部１０４にユーザの入退室履歴情報を記録する入退室履歴記録部１０５とから構成される。
【００２０】
図３はタグリーダ４の構成を示すブロック図である。タグリーダ４は、入室検知用アンテナ２ａおよび退室検知用アンテナ２ｂから質問信号を無線送信させる質問信号送信部４００と、入室検知用アンテナ２ａまたは退室検知用アンテナ２ｂを介してタグ６からの応答信号を受信する応答信号受信部４０１と、入室検知用赤外線センサ３ａまたは退室検知用赤外線センサ３ｂが人の存在を検知したときに検知信号を受信する検知信号受信部４０２と、入退室管理装置１に対して電気錠５の解錠要求を送信する解錠要求送信部４０３と、ユーザが入退室したかどうかを判定する入退室判定部４０４とから構成される。
【００２１】
次に、本実施の形態の入退室管理システムの動作を図４、図５を参照して説明する。図４はタグリーダ４の動作を説明するフローチャート、図５は入退室管理装置１の動作を説明するフローチャートである。
【００２２】
まず、ユーザが入室するときの動作について説明する。タグリーダ４の質問信号送信部４００は、入室検知用アンテナ２ａおよび退室検知用アンテナ２ｂから質問信号を無線送信させる。タグ６を所持するユーザが扉７に近づいて、タグ６が入室検知用アンテナ２ａの無線通信可能エリア９内に入ると、タグ６は、入室検知用アンテナ２ａからの質問信号を受信するので、この質問信号に応じて自己の識別情報を含む応答信号を無線で返送する。タグリーダ４の応答信号受信部４０１は、入室検知用アンテナ２ａを介してタグ６からの応答信号を受信する。さらに、ユーザが扉７に近づいて入室検知用赤外線センサ３ａの赤外線検知エリア１１内に入ると、タグリーダ４の検知信号受信部４０２は、入室検知用赤外線センサ３ａから検知信号を受信する。
【００２３】
タグリーダ４の解錠要求送信部４０３は、入室検知用アンテナ２ａでタグ６からの応答信号を受信し（図４ステップＳ１００においてＹＥＳ）、かつ入室検知用赤外線センサ３ａから検知信号を受信して扉７の前にユーザがいることを確認した場合（ステップＳ１０１においてＹＥＳ）、タグ６を所持するユーザが入室しようとしている可能性があると判断し、受信した応答信号からタグ６の識別情報を抽出して、このタグ６の識別情報とタグ６からの応答信号を受信したタグリーダ４の識別情報とを含む解錠要求を入退室管理装置１に送信する（ステップＳ１０２）。
【００２４】
入退室管理装置１の受信部１０１は、タグリーダ４からの解錠要求を受信すると（図５ステップＳ２００においてＹＥＳ）、この解錠要求を入退室許可判定部１０２に渡す。入退室許可判定部１０２は、受信した解錠要求からタグ６の識別情報とタグリーダ４の識別情報とを抽出し、タグ６の識別情報を基に個人情報記憶部１００を参照して、ユーザの入退室を許可すべきかどうかを判定する（ステップＳ２０１）。
【００２５】
図６は個人情報記憶部１００に記憶されている個人情報の１例を示す図である。個人情報記憶部１００は、ユーザの識別情報（ユーザが所持するタグ６の識別情報）とユーザの氏名とユーザの電子メールアドレスとユーザが所属する部署の名前とユーザが入退室を許可されている施設内の許可区画とを対応付けて記憶している。
【００２６】
入退室許可判定部１０２は、タグリーダ４から受信した解錠要求に含まれるタグリーダ４の識別情報を基にユーザが入退室しようとしている部屋を特定し、続いてタグリーダ４から受信した解錠要求に含まれるタグ６の識別情報を基に個人情報記憶部１００を参照して、タグ６の識別情報に対応する個人情報を検索し、検索した個人情報に記述されている許可区画の中にユーザが入退室しようとしている部屋が含まれる場合、入退室可と判定し、許可区画の中にユーザが入退室しようとしている部屋が含まれていない場合、入退室不可と判定する。
電気錠制御部１０３は、入退室許可判定部１０２が入退室可と判定した場合、電気錠５を解錠する（ステップＳ２０２）。
【００２７】
次に、タグ６を所持するユーザが扉７を開いて入室すると、タグ６が退室検知用アンテナ２ｂの無線通信可能エリア１０内に入ることになるので、タグ６は、退室検知用アンテナ２ｂからの質問信号を受信し、この質問信号に応じて自己の識別情報を含む応答信号を無線で返送する。タグリーダ４の応答信号受信部４０１は、退室検知用アンテナ２ｂを介してタグ６からの応答信号を受信する。
【００２８】
タグリーダ４の入退室判定部４０４は、入室検知用アンテナ２ａでタグ６からの応答信号を受信して解錠要求を入退室管理装置１に送信した後に、入室検知用アンテナ２ａと対向する退室検知用アンテナ２ｂでタグ６からの応答信号を受信した場合（図４ステップＳ１０３においてＹＥＳ）、退室検知用アンテナ２ｂで受信した応答信号に含まれるタグ６の識別情報と、この退室検知用アンテナ２ｂでの受信の直前に入室検知用アンテナ２ａで受信した応答信号に含まれるタグ６の識別情報とを比較する（ステップＳ１０４）。
【００２９】
入退室判定部４０４は、退室検知用アンテナ２ｂで受信した応答信号に含まれるタグ６の識別情報と入室検知用アンテナ２ａで受信した応答信号に含まれるタグ６の識別情報とが一致する場合（ステップＳ１０４においてＹＥＳ）、同一の識別情報を含む応答信号を最初に入室検知用アンテナ２ａで受信し次に退室検知用アンテナ２ｂで受信したので、このタグ６の識別情報で特定されるユーザが入室したと判断し、入室履歴の記録処理を開始する。具体的には、入退室判定部４０４は、タグ６の識別情報で特定されるユーザの入室履歴記録要求を送ったかどうかを判定し（ステップＳ１０５）、まだ送っていない場合には、タグ６の識別情報とタグ６からの応答信号を受信したタグリーダ４の識別情報とを含む入室履歴記録要求を入退室管理装置１に送信する（ステップＳ１０６）。
【００３０】
入退室管理装置１の受信部１０１は、タグリーダ４からの入室履歴記録要求を受信すると（図５ステップＳ２０３においてＹＥＳ）、この入室履歴記録要求を入退室履歴記録部１０５に渡す。入退室履歴記録部１０５は、受信した入室履歴記録要求からタグ６の識別情報とタグリーダ４の識別情報とを抽出し、タグ６の識別情報を基に個人情報記憶部１００を参照して、タグ６の識別情報で特定されるユーザの個人情報を取得すると共に、タグリーダ４の識別情報を基にユーザが入室した部屋を特定して、ユーザの個人情報とユーザが入室した日時の情報とユーザが入室した部屋の情報とを表す入室履歴情報を入退室履歴記憶部１０４に記録する（ステップＳ２０４）。以上で、ユーザが入室するときの処理が終了する。
【００３１】
図７は入退室履歴記憶部１０４に記憶されている入退室履歴情報の１例を示す図である。入退室履歴記憶部１０４は、入退室履歴情報として、例えば入退室の日時とユーザの氏名と入退室の種別とユーザが入退室した部屋とを記憶している。
【００３２】
次に、ユーザが退室するときの動作について説明する。ユーザが退室しようとして扉７に近づくと、タグ６が退室検知用アンテナ２ｂの無線通信可能エリア１０内に入るので、タグ６は、退室検知用アンテナ２ｂからの質問信号を受信し、この質問信号に応じて自己の識別情報を含む応答信号を無線で返送する。タグリーダ４の応答信号受信部４０１は、退室検知用アンテナ２ｂを介してタグ６からの応答信号を受信する。さらに、ユーザが扉７に近づいて退室検知用赤外線センサ３ｂの赤外線検知エリア１２内に入ると、タグリーダ４の検知信号受信部４０２は、退室検知用赤外線センサ３ｂから検知信号を受信する。
【００３３】
タグリーダ４の解錠要求送信部４０３は、退室検知用アンテナ２ｂでタグ６からの応答信号を受信し（図４ステップＳ１００においてＹＥＳ）、かつ退室検知用赤外線センサ３ｂから検知信号を受信して扉７の前にユーザがいることを確認した場合（ステップＳ１０１においてＹＥＳ）、タグ６を所持するユーザが退室しようとしている可能性があると判断し、受信した応答信号からタグ６の識別情報を抽出して、このタグ６の識別情報とタグ６からの応答信号を受信したタグリーダ４の識別情報とを含む解錠要求を入退室管理装置１に送信する（ステップＳ１０２）。
【００３４】
入退室管理装置１の受信部１０１は、タグリーダ４からの解錠要求を受信すると（図５ステップＳ２００においてＹＥＳ）、この解錠要求を入退室許可判定部１０２に渡す。入退室許可判定部１０２は、受信した解錠要求からタグ６の識別情報とタグリーダ４の識別情報とを抽出し、タグ６の識別情報を基に個人情報記憶部１００を参照して、ユーザの入退室を許可すべきかどうかを判定する（ステップＳ２０１）。この入退室許可判定部１０２の動作は上記のとおりである。
電気錠制御部１０３は、入退室許可判定部１０２が入退室可と判定した場合、電気錠５を解錠する（ステップＳ２０２）。
【００３５】
次に、タグ６を所持するユーザが扉７を開いて退室すると、タグ６が入室検知用アンテナ２ａの無線通信可能エリア９内に入ることになるので、タグ６は、入室検知用アンテナ２ａからの質問信号を受信し、この質問信号に応じて自己の識別情報を含む応答信号を無線で返送する。タグリーダ４の応答信号受信部４０１は、入室検知用アンテナ２ａを介してタグ６からの応答信号を受信する。
【００３６】
タグリーダ４の入退室判定部４０４は、退室検知用アンテナ２ｂでタグ６からの応答信号を受信して解錠要求を入退室管理装置１に送信した後に、退室検知用アンテナ２ｂと対向する入室検知用アンテナ２ａでタグ６からの応答信号を受信した場合（図４ステップＳ１０３においてＹＥＳ）、入室検知用アンテナ２ａで受信した応答信号に含まれるタグ６の識別情報と、この入室検知用アンテナ２ａでの受信の直前に退室検知用アンテナ２ｂで受信した応答信号に含まれるタグ６の識別情報とを比較する（ステップＳ１０４）。
【００３７】
入退室判定部４０４は、入室検知用アンテナ２ａで受信した応答信号に含まれるタグ６の識別情報と退室検知用アンテナ２ｂで受信した応答信号に含まれるタグ６の識別情報とが一致する場合（ステップＳ１０４においてＹＥＳ）、同一の識別情報を含む応答信号を最初に退室検知用アンテナ２ｂで受信し次に入室検知用アンテナ２ａで受信したので、このタグ６の識別情報で特定されるユーザが退室したと判断し、退室履歴の記録処理を開始する。具体的には、入退室判定部４０４は、タグ６の識別情報で特定されるユーザの退室履歴記録要求を送ったかどうかを判定し（ステップＳ１０５）、まだ送っていない場合には、タグ６の識別情報とタグ６からの応答信号を受信したタグリーダ４の識別情報とを含む退室履歴記録要求を入退室管理装置１に送信する（ステップＳ１０６）。
【００３８】
入退室管理装置１の受信部１０１は、タグリーダ４からの退室履歴記録要求を受信すると（図５ステップＳ２０３においてＹＥＳ）、この退室履歴記録要求を入退室履歴記録部１０５に渡す。入退室履歴記録部１０５は、受信した退室履歴記録要求からタグ６の識別情報とタグリーダ４の識別情報とを抽出し、タグ６の識別情報を基に個人情報記憶部１００を参照して、タグ６の識別情報で特定されるユーザの個人情報を取得すると共に、タグリーダ４の識別情報を基にユーザが退室した部屋を特定して、ユーザの個人情報とユーザが退室した日時の情報とユーザが退室した部屋の情報とを表す退室履歴情報を入退室履歴記憶部１０４に記録する（ステップＳ２０４）。以上で、ユーザが退室するときの処理が終了する。
【００３９】
以上、説明したように、本実施の形態では、入室検知用アンテナ２ａと退室検知用アンテナ２ｂのうち一方のアンテナがタグ６から識別情報を読み取った後に他方のアンテナがタグ６から識別情報を読み取ったときに、２つのアンテナで読み取った識別情報を比較し、識別情報が一致する場合に、識別情報で特定されるユーザが出入口を通って入退室したと判定し、このユーザの入退室履歴情報を記録するので、ユーザが入室または退室したかどうかを確実に判定することができ、ユーザの行動に応じた正しい入退室履歴を記録することができる。
【００４０】
本実施の形態では、タグ６を所持するユーザが出入口を通って入室したときに、誤って退室履歴情報を記録してしまうことを防ぐことができる。また、本実施の形態では、ユーザが入室していないにも拘わらず、誤って入室履歴情報を記録してしまうことを防ぐことができる。また、本実施の形態では、タグ６を所持する複数のユーザのうち１人が入室し、別の１人は出入口の前を通過しただけの場合に、入室しないユーザの入室履歴情報を誤って記録してしまうことを防ぐことができる。
【００４１】
本実施の形態で説明した入退室管理装置１とタグリーダ４の各々は、それぞれＣＰＵ、記憶装置及びインタフェースを備えたコンピュータと、これらのハードウェア資源を制御するプログラムによって実現することができる。各々の装置のＣＰＵは、記憶装置に格納されたプログラムに従って本実施の形態で説明した処理を実行する。
【００４２】
なお、本発明では、扉に電気錠を設けることは必須の構成要件ではなく、入退室許可判定処理（図４ステップＳ１０２、図５ステップＳ２００，Ｓ２０１）と電気錠の制御（ステップＳ２０２）とは必須の構成要件ではない。
また、本実施の形態では、入退室判定処理（図４ステップＳ１００，Ｓ１０１，Ｓ１０３〜Ｓ１０６）をタグリーダ４で行っているが、入退室管理装置１で行うようにしてもよい。
【産業上の利用可能性】
【００４３】
本発明は、入退室管理システムに適用することができる。
【符号の説明】
【００４４】
１…入退室管理装置、２ａ…入室検知用アンテナ、２ｂ…退室検知用アンテナ、３ａ…入室検知用赤外線センサ、３ｂ…退室検知用赤外線センサ、４…タグリーダ、５…電気錠、６…タグ、７…扉、８…壁、９，１０…無線通信可能エリア、１１，１２…赤外線検知エリア、１００…個人情報記憶部、１０１…受信部、１０２…入退室許可判定部、１０３…電気錠制御部、１０４…入退室履歴記憶部、１０５…入退室履歴記録部、４００…質問信号送信部、４０１…応答信号受信部、４０２…検知信号受信部、４０３…解錠要求送信部、４０４…入退室判定部。
【図１】
2013242831.tif 000003
【図２】
2013242831.tif 000004
【図３】
2013242831.tif 000005
【図４】
2013242831.tif 000006
【図５】
2013242831.tif 000007
【図６】
2013242831.tif 000008
【図７】
2013242831.tif 000009